(57)【特許請求の範囲】
【請求項１】
ペット（猫または犬）の足および用便後の洗浄のための装置（１）において、
外部本体（１．１）、
充電器ユニット（１．２）、
再充電可能電池ユニット（１．１４）によって電力供給され、内部本体（１．１０）と、該内部本体（１．１０）に固定された垂直ブラシ（１．８）および水平ブラシ（１．９）とを回転させるモータ（１．３）、
浄水容器（１．４）、
浄水ポンプ（１．５）、
フィリングプラグ（１．６）、
浄水管（１．７）、
前記垂直ブラシ（１．８）、
前記水平ブラシ（１．９）、
前記垂直ブラシ（１．８）が底面に設けられ、前記水平ブラシ（１．９）が両側面に設けられた前記内部本体（１．１０）であって、前記モータ（１．３）により回転される前記内部本体（１．１０）、
霧化ヘッド（１．１１）、
用便後の洗浄のために前記外部本体（１．１）上に取り付けられ、猫または犬のしっぽの基部を挿入しかつ前記内部本体（１．１０）から汚れた水を放出するための分割部分（１．１２．１）を装備する器具（１．１２）、
オン／オフボタン（１．１３）、
前記再充電可能電池ユニット（１．１４）、
前記モータ（１．３）からの運動を前記内部本体（１．１０）に伝達する伝動装置（１．１５）、
霧化リング（１．１６）、および
前記霧化リング内の霧化ヘッド用の浄水配管（１．１７）
を備えることを特徴とする、装置（１）。
【請求項２】
前記外部本体（１．１）が、前記モータ（１．３）と前記浄水ポンプ（１．５）の両方に電力を供給する前記再充電可能電池ユニット（１．１４）を充電するために、前記充電器ユニット（１．２）上に取り付けられることを特徴とする、請求項１に記載の装置（１）。
【請求項３】
アダプタプラグおよびケーブル（１．２．１）を介して電源に接続される充電器ユニット（１．２）を備え、
前記外部本体（１．１）が、前記モータ（１．３）および前記浄水ポンプ（１．５）に電力を供給する前記再充電可能電池ユニット（１．１４）を充電するために、前記充電器ユニット（１．２）上に取り付けられることを特徴とする、請求項１に記載の装置（１）。
【請求項４】
浄水容器（１．４）を備え、
前記浄水容器（１．４）が浄水で満たされることを特徴とする、請求項１に記載の装置（１）。
【請求項５】
浄水ポンプ（１．５）を備え、
前記浄水ポンプ（１．５）が、前記再充電可能電池ユニット（１．１４）によって電力供給され、浄水を前記浄水容器（１．４）から前記浄水管（１．７）へ汲み上げることを特徴とする、請求項１に記載の装置（１）。
【請求項６】
フィリングプラグ（１．６）を備え、
前記フィリングプラグ（１．６）が、浄水容器（１．４）を浄水で満たした後で前記浄水容器（１．４）を密閉することを可能にすることを特徴とする、請求項１に記載の装置（１）。
【請求項７】
浄水管（１．７）を備え、
浄水容器（１．４）からの前記浄水が、前記浄水ポンプ（１．５）によって前記浄水管（１．７）経由で前記霧化ヘッド（１．１１）へ汲み上げられることを特徴とする、請求項１に記載の装置（１）。
【請求項８】
垂直ブラシ（１．８）を備え、
前記垂直ブラシ（１．８）が前記内部本体（１．１０）の底面に固定され、洗浄を行うことを特徴とする、請求項１に記載の装置（１）。
【請求項９】
水平ブラシ（１．９）を備え、
前記水平ブラシ（１．９）が前記内部本体（１．１０）の両側面に固定され、洗浄を行うことを特徴とする、請求項１に記載の装置（１）。
【請求項１０】
霧化ヘッド（１．１１）を備え、
前記霧化ヘッド（１．１１）が、前記浄水管（１．７）によって前記内部本体（１．１０）および前記器具（１．１２）に運ばれた浄水を噴霧することを特徴とする、請求項１に記載の装置（１）。
【請求項１１】
オン／オフボタン（１．１３）を備え、
前記オン／オフボタン（１．１３）が、前記外部本体（１．１）の取っ手（１．１．１）上に取り付けられ、２つの位置を有し、一方が前記モータ（１．３）のスイッチをオン／オフするための位置であり、他方が前記浄水ポンプ（１．５）のスイッチをオン／オフするための位置であることを特徴とする、請求項１に記載の装置（１）。
【請求項１２】
＿再充電可能電池ユニット（１．１４）を備え、
前記再充電可能電池ユニット（１．１４）が、前記モータ（１．３）と前記浄水ポンプ（１．５）の両方に電力を供給し、前記外部本体（１．１）を取り付けることにより前記充電器ユニット（１．２）に充電されることを特徴とする、請求項１に記載の装置（１）。
【請求項１３】
霧化リング（１．１６）を備え、
前記霧化ヘッド（１．１１）が前記霧化リング（１．１６）内に取り付けられることを特徴とする、請求項１に記載の装置（１）。
【請求項１４】
霧化リング内の前記霧化ヘッド用の前記浄水配管（１．１７）を備え、
前記浄水配管（１．１７）が、浄水を前記霧化リング（１．１６）内の前記霧化ヘッド（１．１１）に運ぶことを特徴とする、請求項１に記載の装置（１）。
【発明の詳細な説明】
【技術分野】
【０００１】
本発明は、ペット（猫または犬）の足および用便後（ａｆｔｅｒ−ｒｅｌｉｅｆ）の洗浄のための装置に関する。
【背景技術】
【０００２】
人々は、自宅で猫または犬を飼う。しかしながら、猫または犬の世話は人々にとって常に問題となっている。
【０００３】
連れ出されて歩いた猫または犬の足は汚れる。加えて、外で排便する猫または犬の肛門および生殖器官もまた汚れる。人々は自宅で猫または犬を飼うことを好むが、そうした汚れは、家の中で衛生問題を引き起こす。
【０００４】
そのようなペット（猫または犬）が家に着くと、ペットは、家の中を勝手気ままな態度で歩き回り、ソファ、ベッド、枕、椅子、カーペットなどに横たわる。したがって、ペットによって汚れが家に運び込まれる。
【０００５】
今日、人々は、人々の猫または犬の足および用便後の洗浄にウェットナプキンを使用する。しかしながら、こうすることが衛生的ではないことは明らかである。これにより大ざっぱな洗浄しかできない。
【０００６】
その上、消毒剤が容器に入れられ、猫または犬の足はこれらの消毒剤に浸される。さらに、こうすることは衛生用途でないことも明らかである。
特許文献Ｄ１（国際公開第２００４／０６２３５７号）は、ペット（猫または犬）の足および用便後の洗浄に適した装置を開示しており、その装置は、外部本体（１０３）と、充電器ユニット（１０４）と、モータ（５）と、浄水容器（１）と、浄水ポンプ（４）と、フィリングプラグ（図示されていない。フィリングホール（１２）を参照されたい）と、浄水管（１０）と、水平ブラシ（８）と、内部本体（２）と、霧化ヘッド（３２）と、オン／オフボタン（餓死されていない）、再充電可能電池ユニット（５１）と、霧化リングと、霧化リング（３１）内の霧化ヘッド（３２）用の浄水配管（３１）とを備える。
また、特許文献Ｄ２（特許第４７２５９８３号公報）は、その軸が回転する回転駆動手段と、前記軸に連結され回転する筒状容器と、該容器の内側に設けられたブラシとを有する足洗浄装置に関する。手を濡らすことなく簡単にペットの足全体を細かく洗浄ができるペットの足洗浄装置を提供するためのものである。
【発明を概要】
【０００７】
本発明は、ペット（猫または犬）の足および用便後の洗浄のための装置に関し、この装置は、従来技術における上述の問題のために開発されたものである。
【０００８】
本発明は、外部本体、充電器ユニット、モータ、浄水タンク、浄水ポンプ、フィリングプラグ（ｆｉｌｌｉｎｇ  ｐｌｕｇ）、浄水管、垂直ブラシ、水平ブラシ、内部本体、霧化ヘッド、用便後洗浄器具、オン／オフボタン、再充電可能電池ユニット、伝動装置、霧化リング、および霧化リング内の霧化ヘッド用の浄水配管を備える。
【０００９】
本発明は、猫または犬の肛門および生殖器官を、本発明の垂直ブラシ、水平ブラシおよび霧化リングを用いて衛生的に洗浄する。
【００１０】
本発明は、本発明が１回の運転でかつ非常に短い時間で所要の清浄度を提供するので、便利な製品である。
【００１１】
本発明はまた、本発明が非常に少ない量の浄水および電力しか消費しないので、非常に手頃な製品である。
【００１２】
加えて、本発明はまた、浄水容器内の浄水に添加される消毒薬を使用することにより消毒を可能にする。
【００１３】
本発明の目的のために、猫および犬の足および用便後の洗浄のための装置が下記の図で具体化される。
【図面の簡単な説明】
【００１４】
【図１】本発明による装置の分解斜視図である。
【図２】本発明による装置の組立断面斜視図である。
【図３】本発明による装置の組立斜視図である。
【発明を実施するための形態】
【００１５】
本発明は、ペット（猫または犬）の足および用便後の洗浄のための装置（１）に関し、装置（１）は、外部本体（１．１）、充電器ユニット（１．２）、モータ（１．３）、浄水タンクないしは浄水容器（１．４）、浄水ポンプ（１．５）、フィリングプラグ（１．６）、浄水管（１．７）、垂直ブラシ（１．８）、水平ブラシ（１．９）、内部本体（１．１０）、霧化ヘッド（１．１１）、器具（１．１２）、オン／オフボタン（１．１３）、再充電可能電池ユニット（１．１４）、伝動装置（１．１５）、霧化リング（１．１６）、および霧化リング内の霧化ヘッド用の浄水配管（１．１７）を備える。
【００１６】
本発明は、本発明によるすべての可動部分および固定部分が取り付けられる外部本体（１．１）を備え、外部本体（１．１）は、モータ（１．３）と浄水ポンプ（１．５）の両方に電力を供給する再充電可能電池ユニット（１．１４）を充電するために、充電器ユニット（１．２）上に取り付けられる。
【００１７】
本発明は、アダプタプラグおよびケーブル（１．２．１）を介して電源に接続される充電器ユニット（１．２）を備え、外部本体（１．１）は、モータ（１．３）および浄水ポンプ（１．５）に電力を供給する再充電可能電池ユニット（１．１４）を充電するために、充電器ユニット（１．２）上に取り付けられる。
【００１８】
本発明はモータ（１．３）を備え、モータ（１．３）は、再充電可能電池ユニット（１．１４）によって電力供給され、内部本体（１．１０）と内部本体（１．１０）に固定された垂直ブラシ（１．８）および水平ブラシ（１．９）とを共に回転させることを可能にする。
【００１９】
本発明は浄水容器（１．４）を備え、浄水容器（１．４）は浄水で満たされる。
【００２０】
本発明は浄水ポンプ（１．５）を備え、浄水ポンプ（１．５）は、再充電可能電池ユニット（１．１４）によって電力供給され、浄水を浄水容器（１．４）から浄水管（１．７）へ汲み上げる。
【００２１】
本発明はフィリングプラグ（１．６）を備え、フィリングプラグ（１．６）は、浄水容器（１．４）を浄水で満たした後で浄水容器（１．４）を密閉することを可能にする。
【００２２】
本発明は浄水管（１．７）を備え、浄水容器（１．４）からの浄水は、浄水ポンプ（１．５）によって浄水管（１．７）経由で霧化ヘッド（１．１１）へ汲み上げられる。
【００２３】
本発明は垂直ブラシ（１．８）を備え、垂直ブラシ（１．８）は内部本体（１．１０）の底面に固定され、洗浄を行う。
【００２４】
本発明は水平ブラシ（１．９）を備え、水平ブラシ（１．９）は内部本体（１．１０）の側面に固定され、洗浄を行う。
【００２５】
本発明は、底面に垂直ブラシ（１．８）を有しかつ側面に水平ブラシ（１．９）を有する内部本体（１．１０）を備え、内部本体（１．１０）はモータ（１．３）によって回転させられる。
【００２６】
本発明は霧化ヘッド（１．１１）を備え、霧化ヘッド（１．１１）は、浄水管（１．７）によって内部本体（１．１０）および器具（１．１２）に運ばれた浄水を噴霧する。
【００２７】
本発明は器具（１．１２）を備え、この器具（１．１２）は、用便後の洗浄のために外部本体（１．１）上に取り付けられ、猫または犬のしっぽの基部を挿入しかつ内部本体（１．１０）から汚れた水を放出するための分割部分（１．１２．１）を装備する。
【００２８】
本発明はオン／オフボタン（１．１３）を備え、オン／オフボタン（１．１３）は、外部本体（１．１）の取っ手（１．１．１）上に取り付けられ、２つの位置を有し、一方がモータ（１．３）のスイッチをオン／オフするための位置であり、他方が浄水ポンプ（１．５）のスイッチをオン／オフするための位置である。
【００２９】
本発明は再充電可能電池ユニット（１．１４）を備え、再充電可能電池ユニット（１．１４）は、モータ（１．３）と浄水ポンプ（１．５）の両方に電力を供給し、外部本体（１．１）を取り付けることにより充電器ユニット（１．２）に充電される。
【００３０】
本発明は伝動装置（１．１５）を備え、伝動装置（１．１５）は、モータ（１．３）からの運動を内部本体（１．１０）に伝達する。
【００３１】
本発明は、霧化リング（１．１６）を備え、霧化ヘッド（１．１１）は霧化リング（１．１６）内に取り付けられる。
【００３２】
本発明は、霧化リング内の霧化ヘッド用の浄水配管（１．１７）を備え、浄水配管（１．１７）は、浄水を霧化リング（１．１６）内の霧化ヘッド（１．１１）に運ぶ。
【００３３】
［猫または犬の足および用便後の洗浄のための装置（１）の取付け］
モータ（１．３）と、モータ（１．３）に一体化された再充電可能電池ユニット（１．１４）と、浄水管（１．７）の一端が浄水ポンプ（１．５）の浄水出力部に連結された浄水ポンプ（１．５）と、浄水ポンプ（１．５）の浄水入口が浄水容器（１．４）に連結された浄水容器（１．４）とが、外部本体（１．１）の内部分および底部分のそれぞれの場所に取り付けられ、オン／オフボタン（１．１３）は外部本体（１．１）の取っ手（１．１．１）上に取り付けられる。加えて、オン／オフボタン（１．１３）のケーブルが、モータ（１．３）と浄水ポンプ（１．５）の両方に接続される。浄水容器（１．４）のフィリングプラグ（１．６）は、外部本体（１．１）上の浄水容器（１．４）の適所に設置される。内部本体（１．１０）の底面に取り付けられた垂直ブラシ（１．８）と内部本体（１．１０）の両側面に取り付けられた水平ブラシ（１．９）とを有する内部本体（１．１０）は、モータ（１．３）のシャフト上の伝動装置（１．１５）上に置かれる。浄水管（１．７）の一端が、内部本体（１．１０）の底面に配置された霧化ヘッド（１．１１）に連結される。そして浄水管（１．７）の他端が、霧化リング内の霧化ヘッド用の浄水配管（１．１７）に連結され、霧化リング（１．１６）は装置（１）上に取り付けられる。分割部分（１．１２．１）は、分割部分（１．１２．１）が外部本体（１．１）の取っ手（１．１．１）の反対側に位置するように取り付けられ、器具（１．１２）は霧化リング（１．１６）上に取り付けられ、それによって取付けが完了する。
【００３４】
［猫または犬の足および用便後の洗浄のための装置（１）の動作原理］
猫または犬の足の洗浄については下記の通りである。
【００３５】
フィリングプラグ（１．６）が取り外され、浄水容器（１．４）が浄水で満たされ、フィリングプラグ（１．６）が取り付けられる。外部本体（１．１）の取っ手（１．１．１）上に取り付けられたオン／オフボタン（１．１３）の両位置がオンに設定され、モータ（１．３）と浄水ポンプ（１．５）の両方が付勢される。モータ（１．３）は、内部本体（１．１０）と内部本体（１．１０）に固定された垂直ブラシ（１．８）および水平ブラシ（１．９）とを回転させることを可能にする。そして、浄水ポンプ（１．５）は、浄水を浄水容器（１．４）から内部本体（１．１０）の底面にある霧化ヘッド（１．１１）へ汲み上げるとともに、浄水配管（１．１７）経由で霧化リング（１．１６）内の霧化ヘッド（１．１１）へ汲み上げる。そして、霧化リング（１．１６）内の霧化ヘッド（１．１１）によって霧状にされた浄水は、垂直ブラシ（１．８）と水平ブラシ（１．９）の両方を湿らせる。垂直ブラシ（１．８）と水平ブラシ（１．９）の両方は、回転することによって猫または犬の足を湿らせ洗浄する。さらに、内部本体（１．１０）の底面にある霧化ヘッド（１．１１）は、猫または犬の足の下で浄水を霧状にして猫または犬の足を洗浄する。
【００３６】
猫または犬の用便後の洗浄については下記の通りである。
【００３７】
浄水容器（１．４）内に浄水がない場合、フィリングプラグ（１．６）が取り外され、浄水容器（１．４）が浄水で満たされ、フィリングプラグ（１．６）が取り付けられる。分割部分（１．１２．１）は、分割部分（１．１２．１）が外部本体（１．１）の取っ手（１．１．１）の反対側に位置するように取り付けられ、器具（１．１２）が霧化リング（１．１６）上に取り付けられる。外部本体（１．１）の取っ手（１．１．１）上に取り付けられたオン／オフボタン（１．１３）の一方の位置だけがオンに設定され、浄水ポンプ（１．５）が付勢される。浄水ポンプ（１．５）は、浄水を浄水容器（１．４）から内部本体（１．１０）底面にある霧化ヘッド（１．１１）へ汲み上げるとともに、浄水配管（１．１７）経由で霧化リング（１．１６）内の霧化ヘッド（１．１１）へ汲み上げる。猫または犬のしっぽの基部は、器具（１．１２）の分割部分（１．１２．１）内に挿入されて、洗浄目的で猫または犬の肛門または生殖器官に対して浄水を霧化する。
【００３８】
装置（１）は、再充電可能電池ユニット（１．１４）から、または充電器ユニット（１．２）のアダプタプラグおよびケーブル（１．２．１）を電源に接続することにより、電力供給されうる。
【００３９】
装置（１）の各部分は、装置（１）を組み立てるために、様々な方法で（嵌合する、タブを使用する、などにより）取り付けることができる。
【符号の説明】
【００４０】
１  猫または犬の足および用便後の洗浄のための装置
１．１  外部本体
１．１．１  取っ手
１．２  充電器ユニット
１．２．１  アダプタプラグおよびケーブル
１．３  モータ
１．４  浄水容器
１．５  浄水ポンプ
１．６  フィリングプラグ
１．７  浄水管
１．８  垂直ブラシ
１．９  水平ブラシ
１．１０  内部本体
１．１１  霧化ヘッド
１．１２  器具
１．１２．１  分割部分
１．１３  オン／オフボタン
１．１４  再充電可能電池ユニット
１．１５  伝動装置
１．１６  霧化リング
１．１７  霧化リング内の霧化ヘッド用の浄水配管
【図１】
0005939595.tif 000002
【図２】
0005939595.tif 000003
【図３】
0005939595.tif 000004